(57)【要約】【課題】  不使用時にはカメラを可能な限り小型化させて、その携帯性を向上させる。【解決手段】  デジタルカメラ１０をカメラ本体１１と画像表示装置１２とから構成する。カメラ本体１１の側面に係止爪２２を設ける。画像表示装置１２を、有機ＥＬＤ２８及び有機ＥＬＤ２８を支持する可撓性のベゼル３０等から構成する。ベゼル３０に、係止爪２２に係止される被係止部３６を形成する。不使用時には、有機ＥＬＤ２８の表示画面２８ａが内側になるように画像表示装置１２をカメラ本体１１に巻き付けて、その被係止部３６に係止爪２２を引っ掛けて係止させるようにしたので、表示画面２８ａのサイズが大型であっても、不使用時にはデジタルカメラ１０を可能な限り小型化させて、カメラの携帯性を向上させることができる。【選択図】        図４
2005354305.tif 000002
【特許請求の範囲】
【請求項１】
撮影レンズによる被写体像をイメージセンサで撮像し、前記イメージセンサからの撮像信号に基づいて被写体像を表示する画像表示装置を備えたデジタルカメラにおいて、
前記画像表示装置は可撓性を有し、その一端側が前記撮影レンズ及びイメージセンサが組み込まれたカメラ本体に連結されるとともに、不使用時には前記カメラ本体に巻き付けられるようにしたことを特徴とするデジタルカメラ。
【請求項２】
前記画像表示装置には展延する習性をもった弾性体が重ね合わされ、前記不使用時には前記画像表示装置の他端側が前記カメラ本体に係止されるとともに、使用時には前記他端側を前記カメラ本体から係止解除することによって、前記画像表示装置が平面状に展延されることを特徴とする請求項１記載のデジタルカメラ。
【請求項３】
前記画像表示装置の表示枠の内部には展延する習性を持った弾性体が設けられ、前記不使用時には前記画像表示装置の他端側が前記カメラ本体に係止されるとともに、使用時には前記他端側を前記カメラ本体から係止解除することによって、前記画像表示装置が平面状に展延されることを特徴とする請求項１記載のデジタルカメラ。
【請求項４】
前記画像表示装置には可塑性を有する可塑体が重ね合わされ、前記画像表示装置は、前記不使用時には前記可塑体によって前記カメラ本体に巻き付けられた状態で保持されるとともに、使用時には撮影者が前記巻き付けられた状態にある前記画像表示装置を平面状に展延させることを特徴とする請求項１記載のデジタルカメラ。
【請求項５】
前記画像表示装置の表示枠の内部には可塑性を有する可塑体が設けられ、前記画像表示装置は、前記不使用時には前記可塑体によって前記カメラ本体に巻き付けられた状態で保持されるとともに、使用時には撮影者が前記巻き付けられた状態にある前記画像表示装置を平面状に展延させることを特徴とする請求項１記載のデジタルカメラ。
【請求項６】
前記カメラ本体は、前記画像表示装置の巻き付け面を周面とする略円柱形状であり、前記周面に前記撮影レンズ、ストロボ発光部及びカメラの操作部の少なくともいずれか一つが設けられていることを特徴とする請求項１ないし５いずれか一つ記載のデジタルカメラ。
【請求項７】
前記カメラ本体に巻き付けられた前記画像表示装置によって、少なくとも前記撮影レンズ、前記ストロボ発光部及び前記操作部のいずれか又は全てが覆われることを特徴とする請求項６記載のデジタルカメラ。
【請求項８】
前記画像表示装置の前記一端側が前記カメラ本体に回動自在に連結されていることを特徴とする請求項１ないし７いずれか一つ記載のデジタルカメラ。
【請求項９】
前記画像表示装置は、その画像表示面を内側にして前記カメラ本体に巻き付けられることを特徴とする請求項１ないし８いずれか一つ記載のデジタルカメラ。
【請求項１０】
前記画像表示装置は、その画像表示面を外側にして前記カメラ本体に巻き付けられることを特徴とする請求項１ないし９いずれか一つ記載のデジタルカメラ。
【請求項１１】
前記画像表示装置が、前記カメラ本体に巻き付けられているか否かを検出する検出手段と、
前記検出手段の検出結果に基づき、前記画像表示装置が前記カメラ本体に巻き付けられた状態にされることに応答して、カメラの電源をオフさせるとともに、前記画像表示装置が前記カメラ本体に巻き付けられた状態から前記平面状に展延された状態にされることに応答して、前記カメラの電源をオンさせる電源制御手段とを設けたことを特徴とする請求項１ないし１０いずれか一つ記載のデジタルカメラ。
【請求項１２】
前記画像表示装置が、前記カメラ本体に巻き付けられているか否かを検出する検出手段と、
前記検出手段の検出結果に基づき、前記画像表示装置が前記カメラ本体に巻き付けられた状態にされることに応答して、カメラの動作モードを前記画像表示装置の画像表示面に待機画像を表示可能な待機モードに切り替えるとともに、前記画像表示装置が前記カメラ本体に巻き付けられた状態から前記平面状に展延された状態にされることに応答して、前記動作モードを前記撮像を行う撮影モードや、前記撮像により得られた画像を再生する再生モードに切り替えるモード切替手段とを設けたことを特徴とする請求項１ないし１０いずれか一つ記載のデジタルカメラ。
【請求項１３】
前記画像表示装置が、その画像表示面を内側にして前記カメラ本体に巻き付けられているか否かを検出する第１の検出手段と、
前記画像表示装置が前記画像表示面を外側にして前記カメラ本体に巻き付けられているか否かを検出する第２の検出手段と、
前記第１の検出手段の検出結果に基づき、前記画像表示装置が前記画像表示面を内側にして前記カメラ本体に巻き付けられた状態にされることに応答して、カメラの電源をオフさせるとともに、前記画像表示装置が前記画像表示面を内側にして前記カメラ本体に巻き付けられた状態から前記平面状に展延された状態にされることに応答して、前記カメラの電源をオンさせる電源制御手段と、
前記第２の検出手段の検出結果に基づき、前記画像表示装置が前記画像表示面を外側にして前記カメラ本体に巻き付けられた状態にされることに応答して、カメラの動作モードを前記画像表示装置の画像表示面に待機画像を表示可能な待機モードに切り替えるとともに、前記画像表示装置が前記画像表示面を外側にして前記カメラ本体に巻き付けられた状態から前記平面状に展延された状態にされることに応答して、前記動作モードを前記撮像を行う撮影モードや、前記撮像により得られた画像を再生する再生モードに切り替えるモード切替手段とを設けたことを特徴とする請求項１ないし８いずれか一つ記載のデジタルカメラ。
【請求項１４】
前記カメラ本体に巻き付けられた前記画像表示装置によって覆われない位置に、前記撮像により得られた画像データを外部の電子機器に送信するための通信インターフェースが設けられていることを特徴とする請求項１ないし１３いずれか一つ記載のデジタルカメラ。
【請求項１５】
前記電源制御手段は、前記通信インターフェースを介して前記電子機器と接続されたことに応答して前記カメラの電源をオンさせることを特徴とする請求項１４記載のデジタルカメラ。
【発明の詳細な説明】
【技術分野】
【０００１】
本発明は、シート状の有機ＥＬＤ（エレクトロルミネッセンスディスプレイ）やフイルムＬＣＤ（液晶ディスプレイ）などの可撓性を有する画像表示装置を備えたデジタルカメラに関するものである。
【背景技術】
【０００２】
特許文献１及び２に記載されているように、撮像により得られた被写体画像を表示する画像表示装置として、フイルムＬＣＤや有機ＥＬＤ等の可撓性を有するシート状モニタを備えたデジタルカメラがよく知られている。このようなフレキシブルタイプの画像表示装置は、折り曲げたり或いは湾曲させたりすることができるので、モニタ不使用時（非撮影時）には、例えばその画像表示面が外側になるように巻き回した状態でカメラ本体内に収納させることができる（特許文献２参照）。その結果、モニタ不使用時または携帯時に画像表示面に傷か付かないように保護する透明の樹脂カバー等の保護部材を設ける必要がなくなるため、デジタルカメラを小型化（薄型化）して、カメラの携帯性を向上させることができる。
【０００３】
【特許文献１】特開２００３−７８７８４号公報（第５頁）
【特許文献２】特開２００３−３０９７４４号公報（第４頁）
【発明の開示】
【発明が解決しようとする課題】
【０００４】
しかしながら、前記特許文献２に記載されているデジタルカメラでは、モニタ不使用時に画像表示装置を収納するための表示装置収納スペースをカメラ本体内に設ける必要があるが、近年は、撮影者が見やすいように画像表示装置（画像表示面）のサイズを大型化させることが強く要請されている。従って、画像表示装置（画像表示面）のサイズが大型である場合には、それに応じて表示装置収納スペースを大きくする必要があるので、この方法ではデジタルカメラのさらなる小型化を図って、モニタ不使用時のカメラの携帯性を向上させるのには限界がある。
【０００５】
本発明は上記問題を解決するためのものであり、大型の画像表示装置を備えていたとしても、モニタ不使用時にはカメラを可能な限り小型化できるようにしたデジタルカメラを提供することを目的とする。
【課題を解決するための手段】
【０００６】
本発明は、撮影レンズによる被写体像をイメージセンサで撮像し、前記イメージセンサからの撮像信号に基づいて被写体像を表示する画像表示装置を備えたデジタルカメラにおいて、前記画像表示装置は可撓性を有し、その一端側が前記撮影レンズ及びイメージセンサが組み込まれたカメラ本体に連結されるとともに、不使用時には前記カメラ本体に巻き付けられるようにしたことを特徴とする。
【０００７】
また、前記画像表示装置には展延する習性をもった弾性体が重ね合わされ、前記不使用時には前記画像表示装置の他端側が前記カメラ本体に係止されるとともに、使用時には前記他端側を前記カメラ本体から係止解除することによって、前記画像表示装置が平面状に展延されることが好ましい。また、前記画像表示装置の表示枠の内部には展延する習性を持った弾性体が設けられ、前記不使用時には前記画像表示装置の他端側が前記カメラ本体に係止されるとともに、使用時には前記他端側を前記カメラ本体から係止解除することによって、前記画像表示装置が平面状に展延されることが好ましい。
【０００８】
また、前記画像表示装置には可塑性を有する可塑体が重ね合わされ、前記画像表示装置は、前記不使用時には前記可塑体によって前記カメラ本体に巻き付けられた状態で保持されるとともに、使用時には撮影者が前記巻き付けられた状態にある前記画像表示装置を平面状に展延させることが好ましい。さらに、前記画像表示装置の表示枠の内部には可塑性を有する可塑体が設けられ、前記画像表示装置は、前記不使用時には前記可塑体によって前記カメラ本体に巻き付けられた状態で保持されるとともに、使用時には撮影者が前記巻き付けられた状態にある前記画像表示装置を平面状に展延させることが好ましい。
【０００９】
また、前記カメラ本体は、前記画像表示装置の巻き付け面を周面とする略円柱形状であり、前記周面に前記撮影レンズ、ストロボ発光部及びカメラの操作部の少なくともいずれか一つが設けられていることが好ましい。また、前記カメラ本体に巻き付けられた前記画像表示装置によって、少なくとも前記撮影レンズ、前記ストロボ発光部及び前記操作部のいずれか又は全てが覆われることが好ましい。さらに、前記画像表示装置の前記一端側が前記カメラ本体に回動自在に連結されていることが好ましい。
【００１０】
また、前記画像表示装置は、その画像表示面を内側にして前記カメラ本体に巻き付けられることが好ましい。さらに、前記画像表示装置は、その画像表示面を外側にして前記カメラ本体に巻き付けられることが好ましい。
【００１１】
また、前記画像表示装置が、前記カメラ本体に巻き付けられているか否かを検出する検出手段と、前記検出手段の検出結果に基づき、前記画像表示装置が前記カメラ本体に巻き付けられた状態にされることに応答して、カメラの電源をオフさせるとともに、前記画像表示装置が前記カメラ本体に巻き付けられた状態から前記平面状に展延された状態にされることに応答して、前記カメラの電源をオンさせる電源制御手段とを設けることが好ましい。さらに、前記画像表示装置が、前記カメラ本体に巻き付けられているか否かを検出する検出手段と、前記検出手段の検出結果に基づき、前記画像表示装置が前記カメラ本体に巻き付けられた状態にされることに応答して、カメラの動作モードを前記画像表示装置の画像表示面に待機画像を表示可能な待機モードに切り替えるとともに、前記画像表示装置が前記カメラ本体に巻き付けられた状態から前記平面状に展延された状態にされることに応答して、前記動作モードを前記撮像を行う撮影モードや、前記撮像により得られた画像を再生する再生モードに切り替えるモード切替手段とを設けることが好ましい。
【００１２】
前記画像表示装置が、その画像表示面を内側にして前記カメラ本体に巻き付けられているか否かを検出する第１の検出手段と、前記画像表示装置が前記画像表示面を外側にして前記カメラ本体に巻き付けられているか否かを検出する第２の検出手段と、前記第１の検出手段の検出結果に基づき、前記画像表示装置が前記画像表示面を内側にして前記カメラ本体に巻き付けられた状態にされることに応答して、カメラの電源をオフさせるとともに、前記画像表示装置が前記画像表示面を内側にして前記カメラ本体に巻き付けられた状態から前記平面状に展延された状態にされることに応答して、前記カメラの電源をオンさせる電源制御手段と、前記第２の検出手段の検出結果に基づき、前記画像表示装置が前記画像表示面を外側にして前記カメラ本体に巻き付けられた状態にされることに応答して、カメラの動作モードを前記画像表示装置の画像表示面に待機画像を表示可能な待機モードに切り替えるとともに、前記画像表示装置が前記画像表示面を外側にして前記カメラ本体に巻き付けられた状態から前記平面状に展延された状態にされることに応答して、前記動作モードを前記撮像を行う撮影モードや、前記撮像により得られた画像を再生する再生モードに切り替えるモード切替手段とを設けることが好ましい。
【００１３】
また、前記カメラ本体に巻き付けられた前記画像表示装置によって覆われない位置に、前記撮像により得られた画像データを外部の電子機器に送信するための通信インターフェースが設けられていることが好ましい。さらに、前記電源制御手段は、前記通信インターフェースを介して前記電子機器と接続されたことに応答して前記カメラの電源をオンさせることが好ましい。
【発明の効果】
【００１４】
本発明のデジタルカメラは、イメージセンサからの撮像信号に基づいて被写体像を表示する画像表示装置が可撓性を有し、その一端側が前記撮影レンズ及びイメージセンサが組み込まれたカメラ本体に連結されるとともに、不使用時には前記カメラ本体に巻き付けられるようにしたので、画像表示面のサイズが大型であっても、不使用時には携帯し易いようにカメラを可能な限り小型化させることできる。
【００１５】
また、前記画像表示装置には展延する習性をもった弾性体が重ね合わされ、前記不使用時には前記画像表示装置の他端側が前記カメラ本体に係止されるとともに、使用時には、前記他端側を前記カメラ本体から係止解除することによって、前記画像表示装置が平面状に展延されるようにしたので、ワンタッチでカメラの画像表示装置を使用可能状態にすることができる。
【００１６】
また、前記画像表示装置の表示枠の内部には展延する習性を持った弾性体が設けられ、前記不使用時には前記画像表示装置の他端側が前記カメラ本体に係止されるとともに、使用時には、前記他端側を前記カメラ本体から係止解除することによって、前記シート状モニタが平面状に展延されるようにしたので、ワンタッチでカメラの画像表示装置を使用可能状態にすることができる。
【００１７】
さらに、前記画像表示装置には可塑性を有する可塑体が重ね合わされ、前記画像表示装置は、前記不使用時には前記可塑体によって前記カメラ本体に巻き付けられた状態で保持され、使用時には撮影者により前記巻き付けられた状態から平面状に展延させるようにしたので、前記不使用時に前記画像表示装置を前記カメラ本体に係止する係止部材を設ける必要がなくなり、カメラの部品数を減らすことができる。
【００１８】
また、前記画像表示装置の表示枠の内部には可塑性を有する可塑体が設けられ、前記画像表示装置は、前記不使用時には前記可塑体によって前記カメラ本体に巻き付けられた状態で保持され、使用時には撮影者により前記巻き付けられた状態から平面状に展延させるようにしたので、前記不使用時に前記画像表示装置を前記カメラ本体に係止する係止部材を設ける必要がなくなり、カメラの部品数を減らすことができる。
【００１９】
また、カメラ本体は略円柱形状に形成され、その周面に設けられた撮影レンズ、ストロボ発光部及びカメラの操作部の少なくともいずれか１つがカメラ本体に巻き付けられたシート状モニタによって覆われるようにしたので、カメラの部品数を減らすことができる。さらに、前記画像表示装置の一端側をカメラ本体に回動自在に連結したので、カメラ本体に対する画像表示装置の角度を自由に調節することができる。
【００２０】
また、前記画像表示装置を、その画像表示面を内側して、または外側にしても前記カメラ本体に巻き付けられるようにしたので、不使用時にカメラ本体内に収納したり、或いは画像表示面を保護する外装を設ける必要が無くなる。その結果、不使用時にカメラを小型化できる。
【００２１】
また、前記画像表示装置が前記カメラ本体に巻き付けられているか否かを検出し、前記画像表示装置が前記カメラ本体に巻き付けられた状態にされることに応答して、カメラの電源をオフさせるとともに、前記画像表示装置が前記カメラ本体に巻き付けられた状態から前記平面状に展延された状態にされることに応答して、前記カメラの電源をオンさせるようにしたので、撮影者がカメラの電源スイッチを操作する手間を省くことができる。
【００２２】
また、前記画像表示装置が、前記カメラ本体に巻き付けられているか否かを検出し、前記画像表示装置が前記カメラ本体に巻き付けられた状態にされることに応答して、カメラの動作モードを前記画像表示装置の画像表示面に待機画像を表示可能な待機モードに切り替えるとともに、前記画像表示装置が前記カメラ本体に巻き付けられた状態から前記平面状に展延された状態にされることに応答して、前記動作モードを前記撮像を行う撮影モードや、前記撮像により得られた画像を再生する再生モードに切り替えるようにしたので、撮影者がカメラの操作ボタンや操作キー等を操作する手間を省くことができる。さらに、待機モード時にはカメラの外観イメージを向上させることができる。
【００２３】
前記画像表示装置が、その画像表示面を内側にして前記カメラ本体に巻き付けられているか否かを検出するとともに、前記画像表示面を外側にして前記カメラ本体に巻き付けられているか否かを検出して、これらの検出結果に基づき、前記画像表示装置が前記画像表示面を内側にして前記カメラ本体に巻き付けられた状態にあるか否かでカメラの電源をオン・オフさせ、前記画像表示装置が前記画像表示面を外側にして前記カメラ本体に巻き付けられた状態にあるか否かで、カメラの動作モードを切り替えるようにしたので、撮影者がカメラの電源スイッチ、操作ボタン、操作キー等を操作する手間を省くことができる。
【００２４】
また、前記カメラ本体に巻き付けられた前記シート状モニタによって覆われない位置に、前記撮像により得られた画像データを外部の電子機器に送信するための通信インターフェースを設け、前記通信インターフェースを介して前記電子機器と接続されたことに応答してカメラの電源がオンされるようにしたので、撮影者がカメラの電源スイッチを操作する手間を省くことができる。
【発明を実施するための最良の形態】
【００２５】
図１及び図２は、本発明を実施したデジタルカメラ１０の正面斜視図、背面斜視図を示したものであり、それぞれモニタ使用時（撮影時）の状態を示したものである。このデジタルカメラ１０は、モニタ不使用時（非撮影時）の小型化と画像表示面の大型化とを両立させたものであり、大別して、略円柱状に形成されたカメラ本体１１と、電子ビューファインダとして機能する可撓性の画像表示装置１２とから構成されている。
【００２６】
カメラ本体１１の正面側には、撮影レンズ１４、ストロボ発光部１５が設けられており、その上面側には、シャッターレリーズ操作に用いられるレリーズボタン１６が設けられている。また、カメラ本体１１の背面には、汎用の十字キー１７、カメラの動作モードを撮影モードや、撮影した画像を再生させる再生モードに切り替えるモード切替操作などの各種操作に使用される操作ボタン１８が設けられている。さらに、カメラ本体１１の側面には、家庭用のコンセント（図示せず）から電力の供給を受けたり、或いは搭載された電池の充電を行なうためのプラグ（図示せず）が差し込まれるＤＣジャック１９、撮影で取得した画像データをパソコン等に出力するためのＵＳＢポート２０、画像データが記録されるメモリカード（図示せず）がセットされるメモリスロット２１の他に、詳しくは後述するがモニタ不使用時に画像表示装置１２を係止するための係止爪２２と、カメラの電源をＯＮ・ＯＦＦするためのボタン式の電源スイッチ２３とが設けられている。
【００２７】
撮影モード時には、撮影者はカメラ本体１１を右手でグリップし、画像表示装置１２に表示された表示画像を見ながら撮影を行う。この際に、十字キー１７や操作ボタン１８の操作は右手の親指で行え、レリーズボタン１６の押圧操作は右手の人差し指で行えるので、右手だけでデジタルカメラ１０を操作することができる。レリーズボタン１６が押圧されると、撮影レンズ１４の背面側に配置されたＣＣＤイメージセンサ（図示は省略）は、その受光面に結像された被写体画像をアナログの画像信号として取り込む。取り込まれた画像信号は、デジタルな画像データに変換され、各種の画像処理が施された後にカメラ本体１１内の図示しないメモリに記憶される。
【００２８】
また、再生モード時には、図示しないメモリまたはメモリカードに記憶された撮影画像が画像表示装置１２に表示されるため、撮影者は、カメラ本体１１を右手でグリップしながら、親指で十字キー１７や操作ボタン１８を操作して、表示される画像を切り替えることができる。なお、撮影モード時や再生モード時に、撮影者がカメラ本体１１をグリップし易いように、カメラ本体１１の側面にグリップ部を形成してもよい。
【００２９】
画像表示装置１２は、本発明を実施したものであり、カメラ本体１１にヒンジ軸部２６を介して取り付けられている。ヒンジ軸部２６は、カメラ本体１１と一体に形成されたヒンジ軸２６ａと、画像表示装置１２に形成されたヒンジ受け部２６ｂとから構成され、その中心軸は撮影光軸とほぼ直交している。ヒンジ軸部２６を中心として画像表示装置１２を回動させることで、カメラ本体１１に対する画像表示装置１２の角度を自由に調節することができる。
【００３０】
また、ヒンジ軸部２６には、図１に示したような、画像表示装置１２をカメラ本体１１から起立した位置で、その姿勢を保持させるクリック機構（図示せず）が設けられている。また、画像表示装置１２を上記の起立位置だけに限らず、ヒンジ軸２６ａとヒンジ受け部２６ｂとの摩擦により、撮影者が観察しやすい任意の角度に傾けた位置で保持させることができる。
【００３１】
この画像表示装置１２は、図３に示すように、有機ＥＬＤ（エレクトロルミネッセンスディスプレイ）２８と、有機ＥＬＤ２８背面を保護するシート状のステンレス平板２９と、有機ＥＬＤ２８及びステンレス平板２９を支持するＥＬＤ支持部材（以下、ベゼルという）３０とから構成される。有機ＥＬＤ２８は、有機ＥＬ素子（図示せず）を用いたシート状モニタである。周知のように、有機ＥＬ素子は、二つの電極層（アノード，カソード）の間に有機材料からなる発光層を形成し、二つの電極層に電圧をかけることで発光層が発光するものである。有機ＥＬＤ２８は、有機ＥＬ素子を一つの画素として使用し、青色、赤色、緑色の各色に発光する有機ＥＬ素子をそれぞれマトリクス状に配置して、画像データに応じて発光させることでカラー表示が可能であり、さらに、折り曲げた状態や湾曲させた状態でも画像表示面２８ａ上にカラー画像を表示可能なフレキシブルタイプである。また、この有機ＥＬＤ２８の図中右端部には、カメラ本体１１内の制御回路（図示せず）と電気的に接続させるための雄コネクタ３２が設けられている。
【００３２】
ステンレス平板２９は、湾曲または屈曲可能な厚さに形成されているとともに、詳しくは後述するが、この画像表示装置１２が湾曲されたり、或いは屈曲されたときには、画像表示装置１２を平面状に展延する習性をもった板バネ、つまり弾性体である。なお、この平板をステンレスから形成する代わりに、Ｎｉ−Ｔｉ合金の金属材料や、ポリマー系の樹脂材料等の超弾性材料から形成してもよい。また、デジタルカメラ１０を軽量化できるように、ステンレス平板２９に複数のスリットやパンチ穴が形成されていてもよい。
【００３３】
ベゼル３０は、エラストマー樹脂等から形成され、可撓性を有している。ベゼル３０には、上述のヒンジ受け部２６ｂの他に、有機ＥＬＤ２８及びステンレス平板２９が収納されるＥＬＤ収納室３５が形成されている。また、詳しくは後述するが、ベゼル３０のヒンジ受け部２６ｂが形成されている端部と反対側の端部、つまり、図中左端部には、上述の係止爪２２に係止される被係止部３６が形成されている。ここで、本実施例ではベゼル３０がエラストマー樹脂から形成されているが、ベゼル３０が可撓性を有せば、このベゼル３０を他の樹脂材料や金属材料から形成してもよい。
【００３４】
ＥＬＤ収納室３５の内部には、デジタルカメラ１０の各部に電力を供給するシート電池３９が収納される電池収納室４０が形成されているとともに、上述の有機ＥＬＤ２８の雄コネクタ３２が接続される雌コネクタ４１が設けられている。有機ＥＬＤ２８及びステンレス平板２９は、電池収納室３５にシート電池３９が収納された後、例えば接着剤等でＥＬＤ収納室３５内に固定される。
【００３５】
シート電池３９は、発電要素体をステンレスやアルミニウム等の金属製の角型缶や円筒缶を用いて封止している角型電池や円筒型電池とは異なり、その外装を高分子材料からなるシート層によって封止でき、薄型化が図れるだけでなく電池自体に可撓性を持たすことができる。その結果、折り曲げたり、湾曲させたりすることができる。電池収納室４０内には、収納されたシート電池３９の図示しない陽極端子及び負極端子に対応する位置に、それぞれ陽極用切片４２ａと負極用切片４２ｂとがそれぞれ設けられている。そして、各切片４２ａ，４２ｂを介して、カメラの各部に電力が供給され、また充電時には、シート電池３９に電力が充電される。なお、電池収納室４０に収納されたシート電池３９は、ステンレス平板２９によって覆われてしまうので、特に電池蓋などを設ける必要はない。
【００３６】
このように、画像表示装置１２を構成する有機ＥＬＤ２８、ステンレス平板２９、及びベゼル３０と、画像表示装置１２に内蔵されるシート電池３９との全てが可撓性を有するため、画像表示装置１２を折り曲げたり、湾曲させたりすることができる。従って、モニタ不使用時には、前記特許文献２に記載されているように、画像表示装置１２を巻き回してからカメラ本体１１に収納させることもできるが、この場合にはカメラ本体１１内に収納用スペースが必要となる。そのため、特に有機ＥＬＤ２８（画像表示面２８ａ）のサイズが大きい場合には、大きな収納スペースが必要となるので、デジタルカメラ１０を小型化してカメラの携帯性を向上させるのには限界がある。
【００３７】
そこで、図４に示すように本実施例では、モニタ不使用時には画像表示装置１２を図１中の矢印Ａ方向にカメラ本体１１に巻き付ける。そして、画像表示装置１２の画像表示面２８ａが内側になるようにカメラ本体１１に巻き付けた状態で、画像表示装置１２の被係止部３６を係止爪２２に係止させることで、デジタルカメラ１０を可能な限り小型化させて、携帯し易いようにする。
【００３８】
係止爪２２に係止させるために、被係止部３６の画像表示面２８ａと反対側の面には、係止爪２２を引っ掛けるための溝４４（図１及び図４参照）が形成されている。従って、撮影者は、モニタ不使用時には画像表示面２８ａが内側になるように画像表示装置１２をカメラ本体１１に巻き付けて、被係止部３６の溝４４に係止爪２２を引っ掛けて係止させる。これにより、画像表示装置１２をカメラ本体１１に巻き付けた状態で固定することができる。本実施例では、画像表示面２８ａが内側になるようにカメラ本体１１に巻き付けられているので、画像表示面２８ａを保護する外装等も必要はない。その結果、モニタ不使用時にはデジタルカメラ１０を可能な限り小型化させることができる。
【００３９】
また、画像表示装置１２がカメラ本体１１に巻き付けられた状態で係止されるときに、上述の撮影レンズ１４やストロボ発光部１５が、画像表示装置１２によって覆われるようにヒンジ軸部２６及び係止爪２２の取付位置を調整しておく。これにより、モニタ不使用時には、撮影レンズ１４及びストロボ発光部１５を画像表示装置１２で保護することができるので、レンズカバーやストロボカバーなどを設ける必要がなくなる。その結果、デジタルカメラ１０の部品数を減らすことができるので、カメラの製造コストを低くすることができる。さらに、モニタ不使用時にシート電池３９に充電を行ったり、撮影画像の画像データが記録されたメモリカード（図示せず）を取り外したりできるように、上述のＤＣジャック１９やメモリスロット２１等は、モニタ不使用時でも露呈される位置に設けられていることが好ましい（図４参照）。
【００４０】
撮影や撮影画像の再生を行うときは、被係止部３６をカメラ本体１１に押し付けて、被係止部３６の溝４４から係止爪２２を外すことで、簡単に画像表示装置１２の係止が解除される。画像表示装置１２の係止が解除されると、カメラ本体１１に巻き付けられた状態の画像表示装置１２が、上述のステンレス平板２９により自動的に平面形状に展延される。これにより、画像表示装置１２を、その画像表示面２８ａが内側になるようにカメラ本体１１に巻き付けた状態で係止した不使用状態（図４参照）から、その画像表示面２８ａをカメラ本体１２から起立させた使用状態（図１参照）への切り替えをワンタッチで行うことができる。
【００４１】
また、本実施例では、画像表示装置１２が不使用状態と使用状態との間で切り替えられるのに応じて、デジタルカメラ１０の電源をＯＮ・ＯＦＦさせる。そのため、画像表示装置１２が不使用状態にあるときに、係止爪２２に係止された被係止部３６またはベゼル３０により押圧される位置、例えば係止爪２２の近傍に上述の押しボタン式の電源スイッチ２３を設ける。この電源スイッチ２３は、画像表示装置１２が不使用状態にあるか否かを検出するものである。そして、電源スイッチ２３が押圧されているとき、つまり、画像表示装置１２が不使用状態にあるに時には、デジタルカメラ１０の電源がＯＦＦされるようにしておく。また、電源スイッチ２３の押圧が解除された時、つまり、画像表示装置１２が不使用状態から使用状態にされる時にデジタルカメラ１０の電源がＯＮされるようにしておく。これにより、不使用状態にある画像表示装置１２の係止を解除して、画像表示装置１２を使用状態に切り替えるのと同時にカメラの電源が自動的にＯＮされる。また、逆に使用状態にある画像表示装置１２を不使用状態に切り替えるのと同時にカメラの電源が自動的にＯＦＦされる。その結果、撮影者がカメラの電源をＯＮ・ＯＦＦする手間を省くことができる。
【００４２】
以上のように、デジタルカメラ１０の画像表示装置１２を可撓性を有する有機ＥＬＤ２８、ベゼル３０等から構成して、その一端側をヒンジ軸部２６を介してカメラ本体１１に連結させるとともに、モニタ不使用時には画像表示面２８ａを内側にしてカメラ本体１１に巻き付けて、その他端側をカメラ本体１１に係止可能にすることで、モニタ不使用時に画像表示装置１２をカメラ本体１１内に収納したり、画像表示面２８ａを保護する外装を設けたりする必要がなくなる。その結果、画像表示面２８ａのサイズが大型であっても、モニタ不使用時にはデジタルカメラ１０を可能な限り小型化させて、その携帯性を向上させることができる。
【００４３】
なお、本実施例では、ヒンジ軸部２６を介して画像表示装置１２をカメラ本体１１に連結させるようにしているが、本発明はこれに限定されるものではなく、画像表示装置１２をカメラ本体１１に固定させるようにしてもよい。以下、図５及び図６を用いて画像表示装置１２をカメラ本体１１に固定した本発明の第２の実施例のデジタルカメラ６０について説明する。ここで、図５及び図６は、それぞれ使用状態、不使用状態にあるデジタルカメラ６０の正面斜視図を示したものである。また、デジタルカメラ６０とデジタルカメラ１０とは、画像表示装置１２がカメラ本体１１に固定されているか否かの違いを除いてほぼ同一の構造であるので、同一の部品については同一符号を付して、その説明は省略する。
【００４４】
図５及び図６に示すように、デジタルカメラ６０では、画像表示装置１２がカメラ本体１１に固定されている。この画像表示装置１２（ベゼル３０）をカメラ本体１１に固定する方法としては、例えば接着剤を用いて接着する方法や、カメラ本体１１にネジ止めする方法の他に、カメラ本体１１とベゼル３０とをエラストマー樹脂等で一体に形成する方法などの各種方法があるが、本発明ではいずれの方法を用いてもよい。
【００４５】
画像表示装置１２がカメラ本体１１に固定されている場合でも、この画像表示装置１２は、上述したように可撓性を有するので、折り曲げたり、湾曲させたりすることができる。従って、モニタ不使用時には画像表示装置１２を図５中の矢印Ａ方向にカメラ本体１１に巻き付ける（図５参照）。つまり、画像表示装置１２の画像表示面２８ａが内側になるようにカメラ本体１１に巻き付けて、被係止部３６の溝４４に係止爪２２を引っ掛けて係止させる。これにより、画像表示装置１２を、その画像表示面２８ａが内側になるようにカメラ本体１１に巻き付けた状態で係止することができる（図６参照）。
【００４６】
このように、デジタルカメラ６０の画像表示装置１２も、モニタ不使用時に画像表示面２８ａを内側にしてカメラ本体１１に巻き付けて、カメラ本体１１に係止させることができる。そのため、第１の実施例であるデジタルカメラ１０と同様に、画像表示面２８ａのサイズが大型であっても、モニタ不使用時にはデジタルカメラ６０を可能な限り小型化させて、その携帯性を向上させることができる。
【００４７】
また、本実施例では、画像表示装置１２内に板バネとして機能するステレンス平板２９を設け、不使用状態にある画像表示装置１２をワンタッチで使用状態（平面状）に展延させるようにしているが、本発明はこれに限定されるものではなく、不使用状態にある画像表示装置１２を使用状態に展延可能な各種弾性部材を用いてよい。例えば、図７及び図８に示すように、ベゼル３０の内部に画像表示装置１２を平面状に保持する形状記憶ワイヤ６２を有機ＥＬＤ２８（ＥＬＤ収納室３５）を囲うように設けてもよい。ここで、図７及び図８は、それぞれ本発明の第１の実施例であるデジタルカメラ１０と、第２の実施例であるデジタルカメラ６０とにおいて、ステンレス平板２９の代わりに略Ｕ（コ）字型の形状記憶ワイヤ６２が弾性体として設けられている状態を示した説明図である。この場合も不使用状態にある画像表示装置１２を形状記憶ワイヤ６２によりワンタッチで使用状態に展延させることができる。この形状記憶ワイヤ６２としては、Ｎｉ−Ｔｉ合金の金属材料や、ポリマー系の樹脂材料等の各種超弾性材料から形成されたものを用いればよい。
【００４８】
なお、本実施例では、電源スイッチ２３としてボタン式のスイッチを用いたが、本発明はボタン式スイッチに限定されるものではなく、被係止部３６が係止爪２２に係止されているか否か、つまり、画像表示装置１２が使用状態にあるか、或いは不使用状態にあるかを検出可能なものであれば、ホール素子等を用いた近接スイッチや、フォトセンサなどを用いた光スイッチなどを用いてもよい。また、電源スイッチ２３の配置も画像表示装置１２がカメラ本体１１に巻き付けられているか否かを検出可能であれば、係止爪２２の近傍に限らず、デジタルカメラ１０のどこに配置されていてもよい。
【００４９】
また、本実施例では、カメラの電源として可撓性を有するシート電池３９を用いているが、本発明は可撓性を有する電池に限定されるものではなく、カメラ本体１１に電池収納用のスペースがあれば、ボタン型電池、円柱型電池、角型電池等の可撓性を有さない各種電池を用いることができる。シート電池３９をベゼル３０内に収納しない場合は、例えば図９に示すように、画像表示装置１２を有機ＥＬＤ２８と、この有機ＥＬＤ２８を囲うように枠形状に形成されたベゼル６４と、有機ＥＬＤ２８の背面を保護する可撓性の保護シート６５とから構成するようにしてもよい。保護シート６５としては可撓性を有せば任意の材料から形成されたものを用いてよく、例えばベゼルと同様にエラストマー樹脂等から形成されたものを用いてよい。この場合には、ベゼル６４内に上述の形状記憶ワイヤ６２を設ければよい。また、ベゼル６４内に形状記憶ワイヤ６２を設ける代わりに、保護シート６５をステンレス、Ｎｉ−Ｔｉ合金、ポリマー系の樹脂材料等の各種超弾性材料から形成してもよい。
【００５０】
さらに、図９に示した実施例では、有機ＥＬＤ２８の背面に保護シート６５が設けられているが、本発明はこれに限定されるものではなく、例えば図１０に示すように、画像表示装置１２が有機ＥＬＤ２８と、この有機ＥＬＤ２８を囲うように枠形状に形成されたベゼル６４とから構成されていてもよい。この場合は、ベゼル６４内に形状記憶ワイヤ６２を設けておく。
【００５１】
なお、本実施例では、係止爪２２の近傍に電源スイッチ２３を設けて、不使用状態にある画像表示装置１２の係止を解除したときにデジタルカメラ１０の電源がＯＮされるようにしているが、カメラの電源がＯＮされるのはこれに限定されるものではない。本実施例のデジタルカメラ１０には、上述したようにＵＳＢポート２０がモニタ不使用時でも画像表示装置１２により覆われない位置に設けられている（図４参照）。そのため、例えば図１１に示すように、パーソナルコンピュータ（以下、単にＰＣという）６８のＵＳＢポート６９と、ＵＳＢポート２０とがＵＳＢコネクタ７０によって電気的に接続されたときも、詳しくは後述するがデジタルカメラ１０の電源を自動的にＯＮさせて、このカメラで撮像された撮影画像の画像データをＰＣ６８に取り込めるようにすることが好ましい（図２０参照）。さらに、この場合は電源がＯＮされるのと同時に、デジタルカメラ１０の動作モードがＰＣ６８と通信を行うＰＣ接続モードに自動的に切り替えられることが好ましい。これにより、画像データ取込時等に撮影者がデジタルカメラ１０の電源をＯＮする手間を省くことができる。
【００５２】
また、デジタルカメラ１０とＰＣ６８とを接続するための通信インターフェースはＵＳＢポート２０に限定されるものではなく、ＩＥＥＥ１３９４接続用ポート、赤外線通信用ポート、無線接続用ポートなどの各種通信インターフェースが設けられていてもよい。この場合も、各ポートを介してＰＣ６８と有線または無線接続されたときに、デジタルカメラ１０の電源をＯＮさせるとともに、デジタルカメラ１０の動作モードがＰＣ６８と通信を行うＰＣ接続モードに自動的に切り替るようにしておく。さらに、デジタルカメラ１０と接続される電子機器はＰＣ６８に限定されるものではなく、ＰＤＡや携帯電話等の各種電子機器に接続させてもよい。
【００５３】
なお、本実施例では、不使用状態にある画像表示装置１２を係止するために、カメラ本体１１に係止爪２２を設けるとともに、ベゼル３０に被係止部３６を形成したが、本発明はこれらに限定されるものではなく、画像表示装置１２を不使用状態のままで係止可能な係止部材であれば、任意の部材を設けてよい。例えば、係止爪２２及び被係止部３６の代わりに、雄ボタン及び雌ボタンをそれぞれ設けて、不使用状態にある画像表示装置１２を係止させるようにしてもよい。また、被係止部３６を形成する位置も、ヒンジ受け部２６ｂが形成されている端部と反対側の端部（図１〜図３参照）に限定されるものではなく、例えば、上端部や下端部に形成するようにしてもよい。この場合には、形成された被係止部３６に対応する位置に係止爪２２を設ければよい。さらに、係止部材をカメラ本体１１や画像表示装置１２に設ける代わりに、モニタ不使用時にはデジタルカメラ１０をキャップ（図示せず）などに収納させるようにしてもよい。この場合には、デジタルカメラ１０をキャップ（図示せず）から取り出したときに、その画像表示装置１２が自動的に平面状に展延される。
【００５４】
また、本実施例は、係止爪２２及び被係止部３６をそれぞれカメラ本体１１と画像表示装置１２に設けて不使用状態にある画像表示装置１２を係止させるようにしているが、本発明はこれに限定されるものではない。例えば図１２に示すように、係止爪２２（図１、図４参照）の代わりに、画像表示装置１２を挟持するための挟持部材７２をカメラ本体１１に設けるとともに、被係止部３６（図１、図４参照）の代わりに、挟持部材７２に挟持される被挟持部７３を画像表示装置１２（ベゼル３０）の端部に形成する。そして、モニタ不使用時には画像表示装置１２を、その画像表示面２８ａが内側になるようにカメラ本体１１に巻き付けた状態で、被挟持部７３を挟持部材７２に挟持させるようにしてもよい。さらに、画像表示装置１２の端部に被挟持部７３を形成しないで、その端部を挟持部材７２に直接挟持させるようにしてもよい。この挟持部材７２としては、被挟持部７３または画像表示装置１２の端部を挟持可能であれば、任意の形状の部材を用いてよい。
【００５５】
なお、本実施例ではデジタルカメラ１０（６０）に、その機種名や製造会社名を表すロゴマークが表示されていないが、本発明はこれに限定されるものではなく、例えば図１３に示すように、画像表示装置１２の背面（画像表示面２８ａと反対側の面）を構成するベゼル３０の材質を、所定のロゴマーク７５を表示させる部分のみ透過性且つ可撓性を有する材料で形成する。そして、モニタ使用時に発光する有機ＥＬＤ２８の漏れ光を利用してロゴマーク７５を光らせるようにしてもよい。また、図３に示すように、有機ＥＬＤ２８とベゼル３０との間にステンレス平板２９やシート電池３９が設けられている場合には、ステンレス平板２９に有機ＥＬＤ２８の漏れ光をロゴマーク７５に導光するための開口等を形成するとともに、電池収納室４０を形成する位置をずらせばよい。さらに、図９に示すように、画像表示装置１２の背面が保護シート６５で構成されている場合には、この保護シート６５の材質をロゴマーク７５が表示される部分のみを透過性且つ可撓性を有する材料で形成し、他の部分は非透過性且つ可撓性を有する材料で形成すればよい。また、光を透過させる部分の形状はロゴマーク７５に限定されるものではなく、デザイン上のアクセントや抽象的な形状であってもよい。
【００５６】
また、本実施例では、画像表示装置１２内にステンレス平板２９（図３参照）や形状記憶ワイヤ６２（図７、図８参照）などの弾性体を設けて、不使用状態にある画像表示装置１２をワンタッチで使用状態（平面状）に展延させるようにしているが、本発明は弾性体に限定されるものではなく、例えば図１４に示すように、形状記憶ワイヤ６２の代わりに可塑性を有する金属ワイヤ７７を設けてもよい。この場合には係止爪２２及び被係止部３６を設けることなく、図１５に示すように、金属ワイヤ７７により画像表示装置１２をカメラ本体１１の周面に巻き付けた状態のままにしておくことができる。そして、モニタ使用時には撮影者が巻き付けられた状態にある画像表示装置１２を略平面状に展延させればよい。ここで、カメラ本体１１の周面が画像表示装置１２によって完全に覆われてしまう場合には、上述のＤＣジャック１９、ＵＳＢポート２０、及びメモリスロット２１は、図示は省略するがカメラ本体１１の上面や底面に設けることが好ましい。
【００５７】
また、図示は省略するが、図３に示したステレンス平板２９の代わりに可塑性を有する金属板を有機ＥＬＤ２８の背面に設けてもよい。この場合も図１５に示すように、金属板（図示せず）により画像表示装置１２をその画像表示面２８ａが内側になるようにカメラ本体１１の周面に巻き付けた状態のままにしておくことができる。
【００５８】
なお、本実施例では、モニタ不使用時に画像表示装置１２をその画像表示面２８ａが内側になるようにカメラ本体１１に巻き付けているが、本発明はこれに限定されるものではなく、例えば図１６〜図１８に示すように、モニタ不使用時に画像表示装置１２をその画像表示面２８ａが外側になるように、つまり、図中矢印Ｂ方向にカメラ本体１１に巻き付けるようにしてもよい。この場合も画像表示面２８ａが外側になるようにカメラ本体１１に巻き付けられた画像表示装置１２を係止するための係止爪７９をカメラ本体１１に設けるとともに、被係止部３６の画像表示面２８ａ側に係止爪７９を引っ掛ける溝８０を形成しておけばよい。
【００５９】
さらに、画像表示装置１２を、その画像表示面２８ａが内側になるように、または外側になるように、いずれにも選択して巻き付け可能にした場合には、画像表示面２８ａを内側にしてカメラ本体１１に巻き付ける時に、係止爪７９が邪魔になったり、係止爪７９により画像表示面２８ａが傷つけられたりするおそれがある。そのため、係止爪７９を巻き付け時に邪魔になったり、画像表示面２８ａを傷つけたりしないような形状、例えば可能な限り小さく形成するとともに、係止爪２２（図１参照）の代わりに、係止爪７９と同様の形状の係止爪８１（図１７参照）を設けておくことが好ましい。また、係止爪７９，８１をゴム等の弾性材料から形成して、係止爪７９，８１が画像表示装置１２に押圧された際に変形するようにしたり、係止爪７９，８１をカメラ本体１１内に収納できるようにしてもよい。
【００６０】
また、特に画像表示装置１２をその画像表示面２８ａが外側になるようにカメラ本体１１に巻き付ける場合には、画像表示面２８ａの表示画像を予め設定された待機画像８２に切り替えるようにしてもよい。この場合には、係止爪７９に係止された被係止部３６により押圧される位置、例えば係止爪７９の近傍に押しボタン式のモード切替スイッチ８３を設ける。このモード切替スイッチ８３は、画像表示面２８ａが外側になるように画像表示装置１２がカメラ本体１１に巻き付けられているか否かを検出するものである。そして、詳しくは後述するがモード切替スイッチ８３が押圧されているときに、デジタルカメラ１０の動作モードを画像表示面２８ａに待機画像８２を表示可能な待機モードに切り替える（図２０参照）。これにより、携帯時のカメラの外観イメージを向上させることができる。また、この待機画像８２としては、撮像により得られた撮影画像、動画像、時刻などを表示させるようにしてもよい。そして、モード切替スイッチ８３の押圧が解除されたらデジタルカメラ１０の動作モードを待機モードから、待機モード切替前に上述の操作ボタン１８で選択されていた撮影モードや再生モード等に切り替える。
【００６１】
さらに、カメラ本体１１には、画像表示面２８ａを外側にしてカメラ本体１１に巻き付けられた画像表示装置１２よって覆われない位置に、待機モード時に待機画像８２の表示・非表示を切り替えるための待機画像表示選択スイッチ８４が設けられている（図１６、図１８参照）。この待機画像表示選択スイッチ８４を操作して、待機画像８２を非表示にすることで、待機モード時にカメラの電力の消費を抑えることができる。
【００６２】
ここで、このモード切替スイッチ８３を電源スイッチとして用いて、画像表示装置１２がその画像表示面２８ａを外側にしてカメラ本体１１に巻き付けられた時に、デジタルカメラ１０の電源をＯＦＦさせ、巻き付けが解除されたらカメラの電源をＯＮさせるようにしてもよい。また、逆に上述の電源スイッチ２３をモード切替スイッチとして用いて、画像表示装置１２がその画像表示面２８ａを内側にしてカメラ本体１１に巻き付けられているか否かで、デジタルカメラ１０の動作モードを切り替えるようにしてもよい。
【００６３】
また、本実施例のデジタルカメラ１０は、カメラの動作モードとして、撮像により図示しないメモリやメモリカードに記録された撮影画像を再生表示させる再生モードを有しているが、この再生モード時に、他のデジタルビデオカメラ等で撮影され、メモリカード（図示せず）等に記録された動画像を再生できるようにしてもよい。動画像を再生する場合には、記録された音声も同時に再生させることが好ましい。そのため、例えば図１９に示すように、画像表示装置１２を有機ＥＬＤ２８、シート電池３９、形状記憶ワイヤ６２が内蔵されているベゼル８５、シートスピーカ８６、フレキシブル基板８７から構成してもよい。
【００６４】
シートスピーカ８６は、有機ＥＬＤ２８の画像表示面２８ａに貼り付けられた状態で使用されるため、透過性（透明）且つ可撓性を有するシートスピーカであれば任意ものを用いてよい。このシートスピーカ８６はステレオ再生が可能であり、左右のチャンネルに対応した一対のスピーカ８６ａ，８６ｂと、ＥＬＤ収納室３５に設けられた雌コネクタ８９に接続される透明な雄コネクタ９０とから構成されている。
【００６５】
フレキシブル基板８７には、ＥＬＤ収納室３５に設けられた雌コネクタ９１に接続される雄コネクタ９２が設けられている。そして、このフレキシブル基板８７と、各コネクタ３２，４１，８９，９０，９１，９２及びコネクタに接続された配線（図示せず）とを介して、有機ＥＬＤ２８やシートスピーカ８６がカメラ本体１１に設けられている制御基板（図示せず）に電気的に接続されている。なお、フレキシブル基板８７を介さずに有機ＥＬＤ２８、シートスピーカ８６を直接制御基板（図示せず）に接続させるようにしてもよい。
【００６６】
図１９に示したように、シートスピーカ８６を画像表示面２８ａ上に貼り付けるようにしたので、カメラ本体１１や画像表示装置１２を省スペース化することができる。なお、シートスピーカ８６を画像表示面２８ａ上に貼り付ける代わりに、有機ＥＬＤ２８の背面側に設けるようにしてもよい。この場合には、シートスピーカ８６が透明でなくともよい。
【００６７】
なお、図９〜図１９に示した実施例の適用は、ヒンジ軸部２６を介して画像表示装置１２がカメラ本体１１に連結されている本発明の第１の実施例のデジタルカメラ１０に限定されるものではなく、画像表示装置１２がカメラ本体に固定されている第２の実施例のデジタルカメラ６０にも適用することができる。
【００６８】
また、本実施例ではカメラ本体１１は略円柱状に形成されているが、本発明はこれに限定されるものではなく、四角柱や六角柱などの多角柱状に形成されていてもよい。
【００６９】
なお、本実施例では表示装置として有機ＥＬＤ２８が用いられているが、本発明は有機ＥＬＤに限定されるものではなく、無機ＥＬＤや、前記特許文献１に記載されているようなバックライトにＥＬＤを用いたフイルムＬＣＤなどの可撓性を有する各種画像表示装置を用いることができる。
【００７０】
なお、本実施例ではデジタルカメラ１０（６０）を例に挙げて説明を行ったが、本発明はデジタルカメラに限定されるものではなく、可撓性を有する表示装置を備えたデジタルビデオカメラなどにも適用することができる。
【００７１】
次に、上述の図１１で説明したＵＳＢ接続時にデジタルカメラ１０の電源をＯＮさせるための制御や、図１６〜図１８で説明した待機モード切替時に画像表示面２８ａの表示画像を待機画像８２に切り替える制御について、図２０に示したデジタルカメラ１０（デジタルカメラ６０も同様）の電気的構成を示したブロック図を用いて説明する。図２０に示すように、デジタルカメラ１０は、撮像レンズ１４、ＣＣＤイメージセンサ、Ａ／Ｄ変換回路等から構成される撮像部９４、撮像により得られた画像データに各種画像処理を施す画像処理部９５、デジタルカメラ１０の全体の動作を制御する統括制御部９６の他に、上述した操作ボタン１８、ＵＳＢポート２０、メモリスロット２１、電源スイッチ２３、有機ＥＬＤ２８、シート電池３９、モード切替スイッチ８３、待機画像表示選択スイッチ８４などから構成されている。
【００７２】
統括制御部９６には、上述の操作ボタン１８、ＵＳＢポート２０、メモリスロット２１、電源スイッチ２３、有機ＥＬＤ２８、シート電池３９、モード切替スイッチ８３、待機画像表示選択スイッチ８４、画像処理部９５等が接続されている。そして、この統括制御部９６は、デジタルカメラ１０の電源のＯＮ・ＯＦＦを制御する電源制御部９７、デジタルカメラ１０の動作モードを切り替えるモード切替制御部９８、有機ＥＬＤ２８の表示を制御する表示制御部９９、待機画像８２の画像データが記憶されている待機画像データ記憶メモリ１００の他に、図示は省略するがカメラの各部を個々に制御する制御部から構成されている。
【００７３】
電源制御部９７は、画像表示装置１２が不使用状態にされたとき、つまり、被係止部３６が係止爪２２に係止され、電源スイッチ２３が押圧されたときには、シート電池３９からのカメラの各部への電力の供給を停止してカメラの電源をＯＦＦにする。また、画像表示装置１２が不使用状態から使用状態にされるとき、つまり、被係止部３６が係止解除され、電源スイッチ２３の押圧が解除されたときには、シート電池３９からのカメラの各部への電力の供給を開始してカメラの電源をＯＮにする。
【００７４】
また、電源制御部９７は、電源ＯＦＦ時にＰＣ６８などの電子機器がＵＳＢポート２０に接続されたことを検出したときも、シート電池３９からのカメラの各部への電力の供給を開始してカメラの電源をＯＮにする。この場合には、電力をＰＣ６８などの電子機器との通信に必要な各部へのみ供給すればよく、有機ＥＬＤ２８、撮像部９４、画像処理部９５には電力を供給しなくともよい。なお、電子機器との接続が解除されたら再びカメラの電源をＯＦＦにさせることが好ましい。
【００７５】
モード切替制御部９８は、被係止部３６が係止爪７９に係止され、モード切替スイッチ８３が押圧されたとき（図１８参照）に、デジタルカメラ１０の動作モードを予め操作ボタン１８を介して設定された撮影モード、再生モード等から待機モードに切り替える。次いで、モード切替制御部９８は、撮影者（ユーザ）により予め選択されている待機画像８２の画像データを待機画像データ記憶メモリ１００から読み込むとともに、表示制御部９９を制御して、画像表示面２８ａの表示画像を待機画像８２に切り替える。この際に、待機画像表示選択スイッチ８４により待機画像８２の非表示が選択されている場合には、待機画像８２を含む画像を画像表示面２８ａに表示しない。
【００７６】
そして、モード切替制御部９８は被係止部３６の係止が解除され、モード切替スイッチ８３の押圧が解除されたときに、デジタルカメラ１０の動作モードを待機モードから予め設定されていた撮影モードや再生モード等に切り替える。次いで、モード切替制御部９８は表示制御部９９を制御して、切り替えられた動作モードに応じて表示画像を、画像処理部９５を介して撮像部９４より得られるスルー画像や、メモリカード（図示せず）に記録された画像の再生画像等に切り替える。なお、モード切替制御部９８は、ＵＳＢポート２０にＰＣ６８（図１１参照）が接続されたときには、デジタルカメラ１０の動作モードを上述のＰＣ接続モードに切り替える。
【００７７】
このように、電源制御部９７によりカメラの電源のＯＮ・ＯＦＦを制御させることで、
ＵＳＢ接続時にもデジタルカメラ１０の電源をＯＮさせることができる。また、モード切替制御部９８により動作モードの切り替えを制御させて、待機モード切替時には画像表示面２８ａの表示画像を待機画像８２に切り替え可能にすることで、画像表示面２８ａを外側にして画像表示装置１２をカメラ本体１１に巻き付けた時に表示画像を待機画像８２に切り替えることができる。また、上述したように、モード切替スイッチ８３を電源スイッチとして用い、電源スイッチ２３をモード切替スイッチとして用いる場合には、それぞれのスイッチを電源制御部９７、モード切替制御部９８に接続すればよい。
【図面の簡単な説明】
【００７８】
【図１】本発明を実施したデジタルカメラの正面斜視図であり、モニタ使用時の状態を示した図である。
【図２】図１のデジタルカメラの背面斜視図である。
【図３】デジタルカメラの画像表示装置の分解斜視図である。
【図４】不使用状態にあるデジタルカメラの正面斜視図である。
【図５】本発明の第２の実施例のデジタルカメラの正面斜視図であり、モニタ使用時の状態を示した図である。
【図６】本発明の第２の実施例のデジタルカメラの正面斜視図であり、モニタ不使用時の状態を示した図である。
【図７】形状記憶ワイヤを用いた本発明の第１の実施例のデジタルカメラの他の実施例を示した説明図である。
【図８】形状記憶ワイヤを用いた本発明の第２の実施例のデジタルカメラの他の実施例を示した説明図である。
【図９】デジタルカメラの画像表示装置の他の実施例を示した分解斜視図である。
【図１０】デジタルカメラの画像表示装置の図９に示した例とは別の実施例を示した分解斜視図である。
【図１１】デジタルカメラとＰＣとを接続した状態を示した説明図である。
【図１２】モニタ不使用時に画像表示装置を係止させる代わりに挟持させるようにした本発明の第１の実施例のデジタルカメラの他の実施例を示した斜視図である。
【図１３】画像表示装置の背面にロゴマークを表示させるようにした本発明の第１の実施例のデジタルカメラの他の実施例を示した斜視図である。
【図１４】金属ワイヤを用いた本発明の第１の実施例のデジタルカメラの他の実施例を示した斜視図であり、モニタ使用時の状態を示した図である。
【図１５】金属ワイヤを用いた本発明の第１の実施例のデジタルカメラの他の実施例を示した斜視図であり、モニタ不使用時の状態を示した図である。
【図１６】画像表示装置の画像表示面を外側にしてカメラ本体に巻き付け可能にした本発明の第１の実施例のデジタルカメラの他の実施例を示した背面斜視図であり、モニタ使用時の状態を示した図である。
【図１７】画像表示装置の画像表示面を外側にしてカメラ本体に巻き付け可能にした本発明の第１の実施例のデジタルカメラの他の実施例を示した正面斜視図であり、モニタ使用時の状態を示した図である。
【図１８】画像表示装置の画像表示面を外側にしてカメラ本体に巻き付け可能にした本発明の第１の実施例のデジタルカメラの他の実施例を示した背面斜視図であり、モニタ巻き付け時の状態を示した図である。
【図１９】シートスピーカ及びフレキシブル基板を備えた画像表示装置の他の実施例を示した分解斜視図である。
【図２０】図１１及び図１８の実施例を実行する際に必要なデジタルカメラの電気的構成を示したブロック図である。
【符号の説明】
【００７９】
１０  デジタルカメラ
１１  カメラ本体
１２  画像表示装置
１４  撮影レンズ
１５  ストロボ発光部
２２  係止爪
２３  電源スイッチ
２８  有機ＥＬＤ
２８ａ  画像表示面
２９  ステンレス平板
３０  ベゼル
３６  被係止部
【図１】
2005354305.tif 000003
【図２】
2005354305.tif 000004
【図３】
2005354305.tif 000005
【図４】
2005354305.tif 000006
【図５】
2005354305.tif 000007
【図６】
2005354305.tif 000008
【図７】
2005354305.tif 000009
【図８】
2005354305.tif 000010
【図９】
2005354305.tif 000011
【図１０】
2005354305.tif 000012
【図１１】
2005354305.tif 000013
【図１２】
2005354305.tif 000014
【図１３】
2005354305.tif 000015
【図１４】
2005354305.tif 000016
【図１５】
2005354305.tif 000017
【図１６】
2005354305.tif 000018
【図１７】
2005354305.tif 000019
【図１８】
2005354305.tif 000020
【図１９】
2005354305.tif 000021
【図２０】
2005354305.tif 000022